(57)【要約】【課題】水中から取り出しても、収容室内に水を入れたままで、収容室内の鮎の様子を確認でき、また釣り人の移動にも対応できて通い筒としても利用できる曳舟を提供すること。【解決手段】鮎が釣れた場合には、引綱３を引いて曳舟本体２を寄せて、水中から曳舟本体２を取り出して後部（蓋体セット４）を上にして立て、取付部４Ａの係止部８と蓋体４Ｂの係止部９との係止を解除して、蓋体４Ｂを回動させて開けて収容室５内に釣った鮎を入れる。この場合、通水入口７や通水出口１０からは水が流出しない状態で、ある程度の量の水を収容室５内に溜められるので、鮎が弱ることを極力避けることができる。また、蓋体４Ｂを閉めた後でも、この蓋体４Ｂに開設した通水出口１０を通して収容室５内部を覗いて内部の様子を確認する際には、透明な板体１１から光が収容室５内に導入されるので、明るい状態で確実に確認できる。【選択図】図２
2009089640.tif 000002
【特許請求の範囲】
【請求項１】
鮎釣りの際にオトリ用の鮎や釣れた鮎を保管するための曳舟において、前記鮎を収容するための収容室を備えると共に側面部に通水入口が開設された曳舟本体と、この曳舟本体後部の前記鮎を出し入れするための開口を開閉すると共に前記曳舟本体の通水入口から流入した水を流出するための通水出口が開設された蓋体とを設けたことを特徴とする曳舟。
【請求項２】
鮎釣りの際にオトリ用の鮎や釣れた鮎を保管するための曳舟において、前記鮎を収容するための収容室を備えると共に側面部に通水入口が開設された曳舟本体と、この曳舟本体後部の前記鮎を出し入れするための開口を開閉すると共に前記曳舟本体の通水入口から流入した水を流出するための通水出口が開設された蓋体とを備え、前記曳舟本体の前部に透明体を配設し、この透明体を介して前記収容室内に光が導入されて前記蓋体に開設された通水出口から収容室内の様子が確認できるようにしたことを特徴とする曳舟。
【請求項３】
前記通水入口は、前記蓋体の近くの前記曳舟本体側面に開設したことを特徴とする請求項１又は請求項２に記載の曳舟。
【請求項４】
前記曳舟本体の側面には釣り人が使用するベルト等に掛けられる掛け止め部を設けたことを特徴とする請求項１又は請求項２に記載の曳舟。
【発明の詳細な説明】
【技術分野】
【０００１】
本発明は、鮎釣りの際にオトリ用の鮎や釣れた鮎を保管するための曳舟に関するものである。
【背景技術】
【０００２】
曳舟を河川の水中などに入れた場合に、鮎を収納する収容室の内外を連通して新鮮な水を導入する技術は、例えば特許文献１などで提案されている。
【特許文献１】特開平９−１４０３０９号公報
【発明の開示】
【発明が解決しようとする課題】
【０００３】
しかしながら、収容室内に水を入れたままで、この曳舟を水中から取り出すことができても、収容室内の鮎を見ることができないため、鮎の様子を確認することができなかった。
【０００４】
そこで本発明は、前述せる問題点に鑑み、水中から取り出しても、収容室内に水を入れたままで、収容室内の鮎の様子を確認でき、また釣り人の移動にも対応できて通い筒としても利用できる曳舟を提供することを目的とする。
【課題を解決するための手段】
【０００５】
このため第１の発明は、鮎釣りの際にオトリ用の鮎や釣れた鮎を保管するための曳舟において、前記鮎を収容するための収容室を備えると共に側面部に通水入口が開設された曳舟本体と、この曳舟本体後部の前記鮎を出し入れするための開口を開閉すると共に前記曳舟本体の通水入口から流入した水を流出するための通水出口が開設された蓋体とを設けたことを特徴とする。
【０００６】
また第２の発明は、鮎釣りの際にオトリ用の鮎や釣れた鮎を保管するための曳舟において、前記鮎を収容するための収容室を備えると共に側面部に通水入口が開設された曳舟本体と、この曳舟本体後部の前記鮎を出し入れするための開口を開閉すると共に前記曳舟本体の通水入口から流入した水を流出するための通水出口が開設された蓋体とを備え、前記曳舟本体の前部に透明体を配設し、この透明体を介して前記収容室内に光が導入されて前記蓋体に開設された通水出口から収容室内の様子が確認できるようにしたことを特徴とする。
【０００７】
また第３の発明は、第１又は第２の発明において、前記通水入口は、前記蓋体の近くの前記曳舟本体側面に開設したことを特徴とする。
【０００８】
更に第４の発明は、第１又は第２の発明において、前記曳舟本体の側面には釣り人が使用するベルト等に掛けられる掛け止め部を設けたことを特徴とする。
【発明の効果】
【０００９】
本発明によれば、水中から取り出しても、収容室内に水を入れたままで、収容室内の鮎の様子を確認でき、また釣り人の移動にも対応できて通い筒としても利用できる曳舟を提供することができる。
【発明を実施するための最良の形態】
【００１０】
以下、本発明の曳舟を実施するための最良の形態について、図面を参照しながら説明する。図１は表面を上にして蓋体２を閉じた状態の曳舟１の斜視図、図２は表面を上にして蓋体２を開いた状態の曳舟１の斜視図、図３は裏面を上にして蓋体２を開いた状態の曳舟１の斜視図、図４は表面を上にして蓋体２を閉じた状態の曳舟１の側面図である。
【００１１】
この曳舟１は特に鮎釣用に適しており、この鮎釣用として用いた例について、以下説明する。曳舟１は鮎釣りの際にオトリ用の鮎や、釣れた鮎を保管するためのものであって、概ね曳舟本体２と引き綱３とから構成される。
【００１２】
曳舟本体２は、例えばＡＢＳ樹脂材料で光を弱くするために黒色に作製され、その外形形状は全体として船形の角筒形状を呈して、頭部（前部）は先細の形状を呈しており、後部には蓋体セット４が取付けられている。この曳舟本体２の内部にはオトリ用の鮎や釣った鮎を保管収容するための収容室５が形成され、必要に応じて区画壁により収容室５を区画して、オトリ用の鮎と釣った鮎とを分けて収容してもよい。
【００１３】
また、前記曳舟本体２の対向する両側面２Ａ、２Ｂの後面開口近くには通水入口７が複数開設されると共に、この曳舟１が河川の水中に入れた状態で流水が通水入口７を介して前記収容室５内に流入される。
【００１４】
前記蓋体セット４は、例えばポリプロピレン樹脂材料で淡い青色に作製され、前記曳舟本体２の後部に嵌合して取付けられる中空角筒状の取付部４Ａとこの取付部４Ａに薄肉のヒンジを介して開閉可能な蓋体４Ｂとから構成される。そして、前記取付部４Ａには係止部８が形成され、また前記蓋体４Ｂには前記係止部８に係止する係止部９が形成され、前記取付部４Ａの係止部８に蓋体４Ｂの係止部９を係止させると、前記曳舟本体２の底部開口は蓋体４Ｂで閉じられることとなる。また、前記蓋体４Ｂには通水出口１０が開設され、前記通水入口７を介して前記収容室５内に流入された水は前記通水出口１０から流出し、いつも新鮮な水を収容室５内に導入できる。
【００１５】
また、曳舟本体２頭部は先細の形状を呈しており、下から上に向けて徐々に狭まるような傾斜面が形成されて、この傾斜面の開口部には、例えばアクリル合成樹脂材料で作製され光が導入可能な透明又は半透明の板体１１が設けられている。曳舟本体２頭部の前端部には、挿通孔１２が開設された引綱連結部１３を備えており、この部分に前記引綱３が挿通される。曳舟本体２から遠い引綱３の先頭は、フック（図示せず）を介して釣人の身体（衣類やベルト等）や釣り場の固定物に係止可能である。
【００１６】
１５は前記曳舟本体２の表面に接着固定された浮きで、例えばＡＢＳ樹脂材料で黄色に作製される。１６は同じく前記曳舟本体２の表面の前記蓋体セット４の近くに形成された断面がＬ字形状のベルト掛け止め部で、釣人がはいているズボンに掛けられた、例えばベルトにこのベルト掛部１６を上から引っ掛け、この曳舟１を通い筒としても利用できるようにした。
【００１７】
以上のように構成したために、収容室５内にオトリ鮎を入れた状態の曳舟本体２を河川の水中に入れて、引綱３をフックを介して釣人の身体（衣類やベルト等）や釣り場の固定物に係止して、鮎釣りを行っていると、通水入口７を介して収容室５内に流入された水は通水出口１０から流出し、いつも新鮮な水を収容室５内に導入することができる。
【００１８】
そして、鮎が釣れた場合には、引綱３を引いて曳舟本体２を寄せて、水中から曳舟本体２を取り出して後部（蓋体セット４）を上にして立て、取付部４Ａの係止部８と蓋体４Ｂの係止部９との係止を解除して、蓋体４Ｂを回動させて開けて収容室５内に釣った鮎を入れる。この場合、前記通水入口７を前記蓋体４Ｂの近くの前記曳舟本体２側面に開設したから、この通水入口７や通水出口１０からは水が流出しない状態で、ある程度の量の水を収容室５内に溜められるので、鮎が弱ることを極力避けることができる。
【００１９】
また、前述したように、ある程度の量の水を収容室５内に溜めた状態で、蓋体４Ｂを開けたままでも、蓋体４Ｂを閉めた場合にはこの蓋体４Ｂに開設した通水出口１０を通して、鮎を弱めることなく、収容室５内部を覗いて内部の様子を確認することができる。しかも、前記蓋体４Ｂ（通水出口１０）と斜めであるが対向する位置に配設された透明な板体１１から光が収容室５内に導入されるので、明るい状態で確実に内部の様子を確認できる。更に、この曳舟本体２を水中に入れた状態でも、蓋体４Ｂを開けたままでも、蓋体４Ｂに開設した通水出口１０を通して、収容室５内部を覗いて内部の様子を確認することもできる。
【００２０】
そして、水中から曳舟本体２を取り出して後部（蓋体セット４）を上にして立てた状態にして、ベルト掛け止め部１６を釣人がはいているズボンに掛けられたベルトに上から引っ掛けることにより、通水入口７や通水出口１０から水が流出しない状態のまま、ある程度の量の水を収容室５内に溜められるので、この曳舟１を通い筒としても利用でき、釣竿を持ったままの釣り場を変えるときの移動に際して便利であり、誠に実用的で使い勝手がよい。
【００２１】
しかも、全体として軽量であって安価に作製でき、携帯用の曳舟としても、また通い筒としても利用できて、使い勝手がよい。
【００２２】
以上のように、本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２３】
【図１】表面を上にして蓋体を閉じた状態の曳舟の斜視図である。
【図２】表面を上にして蓋体を開いた状態の曳舟の斜視図である。
【図３】裏面を上にして蓋体を開いた状態の曳舟１の斜視図である。
【図４】表面を上にして蓋体を閉じた状態の曳舟１の側面図である。
【符号の説明】
【００２４】
１    曳舟
２    曳舟本体
３    引綱
４    蓋体セット
４Ｂ  蓋体
５    収容室
７    通水入口
１０  通水出口
１１  板体
【図１】
2009089640.tif 000003
【図２】
2009089640.tif 000004
【図３】
2009089640.tif 000005
【図４】
2009089640.tif 000006